(57)【要約】      （修正有）【課題】プリントされた画像の整理を容易にしたプリントシステム、プリント方法及びプリント制御プログラムを提供する。【解決手段】プリント画像選択部４４は、キーボードやマウス等からの操作入力を受け付けて、プリントするプリント画像を選択する。印字フォルダ名設定部４６は、プリント画像が格納されているフォルダ名をプリント画像とともに印刷する印字フォルダ名に設定する。時間情報取得部４８は、プリント画像が撮影又は更新された時間情報を取得する。時系列符号設定部５０は、時間情報取得部４８が取得した時間情報に応じて、時系列を示す時系列符号を各プリント画像に割り当てる。プリント指示部５２は、プリント画像とともにプリント画像に設定された印字フォルダ名及び時系列符号をプリントするための指令をプリンタに出力する。印刷履歴ファイル生成部５４は、印刷履歴ファイルを生成し、上記フォルダに格納する。【選択図】図３
2007172072.tif 000002
【特許請求の範囲】
【請求項１】
画像をフォルダごとに記憶する画像記憶手段と、
前記画像の中からプリントするプリント画像を選択するプリント画像選択手段と、
前記プリント画像のプリント指示を行うプリント指示手段と、
前記プリント指示が行われたときに、前記プリント画像が格納されたフォルダごとに、前記プリント画像とともに保存するためのフォルダ識別子を設定するフォルダ識別子設定手段と、
前記プリント指示が行われたときに、前記プリント画像のフォルダ内における時系列順を示す時系列符号を設定する時系列符号設定手段と、
前記プリント指示に応じて、前記プリント画像、前記フォルダ識別子及び時系列符号をプリント又はプリント注文するプリント手段と、
前記プリント指示が行われたときに、前記フォルダ識別子及び時系列符号を記録するための印刷履歴ファイルを、前記画像が格納されたフォルダごとに生成、格納する印刷履歴ファイル生成手段と、
前記プリント指示が行われたときに、前記プリント画像が格納されたフォルダ内に前記印刷履歴ファイルが保存されている場合に、前記フォルダ識別子設定手段を制御して、前記印刷履歴ファイルに記録されたフォルダ識別子を前記プリント画像とともに印字するためのフォルダ識別子に設定するとともに、前記時系列符号設定手段を制御して、前記印刷履歴ファイルに記録された時系列符号との間で相互の時系列順が識別可能な時系列符号を設定する制御手段と、
を備えることを特徴とするプリントシステム。
【請求項２】
画像をフォルダごとに記憶する画像記憶手段と、
前記画像の中からプリントするプリント画像を選択するプリント画像選択手段と、
前記プリント画像のプリント指示を行うプリント指示手段と、
前記プリント指示が行われたときに、前記プリント画像のフォルダ内における時系列順を示す時系列符号を設定する時系列符号設定手段と、
前記プリント画像が格納されたフォルダごとに、前記時系列符号のプリント時に加える文字装飾を設定する文字装飾設定手段と、
前記プリント指示に応じて、前記プリント画像をプリントするとともに、前記時系列符号に前記設定された文字装飾を施してプリント又はプリント注文するプリント手段と、
前記プリント指示が行われたときに、前記時系列符号及び前記時系列符号を印字する際に施した文字装飾を記録するための印刷履歴ファイルを、前記画像が格納されたフォルダごとに生成、格納する印刷履歴ファイル生成手段と、
前記プリント指示が行われたときに、前記プリント画像が格納されたフォルダ内に前記印刷履歴ファイルが保存されている場合に、前記時系列符号設定手段を制御して、前記印刷履歴ファイルに記録された時系列符号との間で相互の時系列順が識別可能な時系列符号を設定し、前記文字装飾設定手段を制御して、前記印刷履歴ファイルに記録された文字装飾を前記時系列符号に施すように設定する制御手段と、
を備えることを特徴とするプリントシステム。
【請求項３】
前記文字装飾設定手段は、前記時系列符号の印字色、フォント、フォントサイズ、枠組み、枠の色、枠の形状、網がけ、下線のうち少なくとも１つを設定することを特徴とする請求項２記載のプリントシステム。
【請求項４】
画像をフォルダごとに記憶する画像記憶工程と、
前記画像の中からプリントするプリント画像を選択するプリント画像選択工程と、
前記プリント画像のプリント指示を行うプリント指示工程と、
前記プリント指示が行われたときに、前記プリント画像が格納されたフォルダごとに、前記プリント画像とともに保存するためのフォルダ識別子を設定するフォルダ識別子設定工程と、
前記プリント指示が行われたときに、前記プリント画像のフォルダ内における時系列順を示す時系列符号を設定する時系列符号設定工程と、
前記プリント指示に応じて、前記プリント画像、前記フォルダ識別子及び時系列符号をプリント又はプリント注文するプリント工程と、
前記プリント指示が行われたときに、前記フォルダ識別子及び時系列符号を記録するための印刷履歴ファイルを、前記画像が格納されたフォルダごとに生成、格納する印刷履歴ファイル生成工程と、
前記プリント指示が行われたときに、前記プリント画像が格納されたフォルダ内に前記印刷履歴ファイルが保存されている場合に、前記印刷履歴ファイルに記録されたフォルダ識別子を前記プリント画像とともに印字するためのフォルダ識別子に設定するとともに、前記印刷履歴ファイルに記録された時系列符号との間で相互の時系列順が識別可能な時系列符号を設定する工程と、
を備えることを特徴とするプリント方法。
【請求項５】
画像をフォルダごとに記憶する画像記憶工程と、
前記画像の中からプリントするプリント画像を選択するプリント画像選択工程と、
前記プリント画像のプリント指示を行うプリント指示工程と、
前記プリント指示が行われたときに、前記プリント画像のフォルダ内における時系列順を示す時系列符号を設定する時系列符号設定工程と、
前記プリント画像が格納されたフォルダごとに、前記時系列符号のプリント時に加える文字装飾を設定する文字装飾設定工程と、
前記プリント指示に応じて、前記プリント画像をプリントするとともに、前記時系列符号に前記設定された文字装飾を施してプリント又はプリント注文するプリント工程と、
前記プリント指示が行われたときに、前記時系列符号及び前記時系列符号を印字する際に施した文字装飾を記録するための印刷履歴ファイルを、前記画像が格納されたフォルダごとに生成、格納する印刷履歴ファイル生成工程と、
前記プリント指示が行われたときに、前記プリント画像が格納されたフォルダ内に前記印刷履歴ファイルが保存されている場合に、前記印刷履歴ファイルに記録された時系列符号との間で相互の時系列順が識別可能な時系列符号を設定し、前記印刷履歴ファイルに記録された文字装飾を前記時系列符号に施すように設定する工程と、
を備えることを特徴とするプリント方法。
【請求項６】
画像をフォルダごとに記憶する画像記憶機能と、
前記画像の中からプリントするプリント画像を選択するプリント画像選択機能と、
前記プリント画像のプリント指示を行うプリント指示機能と、
前記プリント指示が行われたときに、前記プリント画像が格納されたフォルダごとに、前記プリント画像とともに保存するためのフォルダ識別子を設定するフォルダ識別子設定機能と、
前記プリント指示が行われたときに、前記プリント画像のフォルダ内における時系列順を示す時系列符号を設定する時系列符号設定機能と、
前記プリント指示に応じて、前記プリント画像、前記フォルダ識別子及び時系列符号をプリント又はプリント注文するプリント機能と、
前記プリント指示が行われたときに、前記フォルダ識別子及び時系列符号を記録するための印刷履歴ファイルを、前記画像が格納されたフォルダごとに生成、格納する印刷履歴ファイル生成機能と、
前記プリント指示が行われたときに、前記プリント画像が格納されたフォルダ内に前記印刷履歴ファイルが保存されている場合に、前記印刷履歴ファイルに記録されたフォルダ識別子を前記プリント画像とともに印字するためのフォルダ識別子に設定するとともに、前記印刷履歴ファイルに記録された時系列符号との間で相互の時系列順が識別可能な時系列符号を設定する機能と、
をコンピュータに実現させることを特徴とするプリント制御プログラム。
【請求項７】
画像をフォルダごとに記憶する画像記憶機能と、
前記画像の中からプリントするプリント画像を選択するプリント画像選択機能と、
前記プリント画像のプリント指示を行うプリント指示機能と、
前記プリント指示が行われたときに、前記プリント画像のフォルダ内における時系列順を示す時系列符号を設定する時系列符号設定機能と、
前記プリント画像が格納されたフォルダごとに、前記時系列符号のプリント時に加える文字装飾を設定する文字装飾設定機能と、
前記プリント指示に応じて、前記プリント画像をプリントするとともに、前記時系列符号に前記設定された文字装飾を施してプリント又はプリント注文するプリント機能と、
前記プリント指示が行われたときに、前記時系列符号及び前記時系列符号を印字する際に施した文字装飾を記録するための印刷履歴ファイルを、前記画像が格納されたフォルダごとに生成、格納する印刷履歴ファイル生成機能と、
前記プリント指示が行われたときに、前記プリント画像が格納されたフォルダ内に前記印刷履歴ファイルが保存されている場合に、前記印刷履歴ファイルに記録された時系列符号との間で相互の時系列順が識別可能な時系列符号を設定し、前記印刷履歴ファイルに記録された文字装飾を前記時系列符号に施すように設定する機能と、
をコンピュータに実現させることを特徴とするプリント制御プログラム。
【発明の詳細な説明】
【技術分野】
【０００１】
本発明はプリントシステム、プリント方法及びプリント制御プログラムに係り、特にプリントした画像の整理を容易にするプリントシステム等に関する。
【背景技術】
【０００２】
従来、画像をプリントする際に、画像とともに日付やタイトルを印字する技術が提案されている（例えば、特許文献１）。
【特許文献１】特開２００３−１６７６９２号公報
【発明の開示】
【発明が解決しようとする課題】
【０００３】
しかしながら、画像が撮影された日付を印字する場合には、プリントされた画像からは同一日付の画像が撮影された順序を容易に識別することができないため、プリントされた画像の整理が煩雑になるという問題があった。例えば、自分で撮影した画像をプリントした後に、同行者が撮影した画像データをもらってプリントした場合、自他の画像を時系列に整理するのは困難であった。
【０００４】
本発明はこのような事情に鑑みてなされたもので、プリントされた画像の整理を容易にしたプリントシステム、プリント方法及びプリント制御プログラムを提供することを目的とする。
【課題を解決するための手段】
【０００５】
上記目的を達成するために請求項１に係るプリントシステムは、画像をフォルダごとに記憶する画像記憶手段と、前記画像の中からプリントするプリント画像を選択するプリント画像選択手段と、前記プリント画像のプリント指示を行うプリント指示手段と、前記プリント指示が行われたときに、前記プリント画像が格納されたフォルダごとに、前記プリント画像とともに保存するためのフォルダ識別子を設定するフォルダ識別子設定手段と、前記プリント指示が行われたときに、前記プリント画像のフォルダ内における時系列順を示す時系列符号を設定する時系列符号設定手段と、前記プリント指示に応じて、前記プリント画像、前記フォルダ識別子及び時系列符号をプリント又はプリント注文するプリント手段と、前記プリント指示が行われたときに、前記フォルダ識別子及び時系列符号を記録するための印刷履歴ファイルを、前記画像が格納されたフォルダごとに生成、格納する印刷履歴ファイル生成手段と、前記プリント指示が行われたときに、前記プリント画像が格納されたフォルダ内に前記印刷履歴ファイルが保存されている場合に、前記フォルダ識別子設定手段を制御して、前記印刷履歴ファイルに記録されたフォルダ識別子を前記プリント画像とともに印字するためのフォルダ識別子に設定するとともに、前記時系列符号設定手段を制御して、前記印刷履歴ファイルに記録された時系列符号との間で相互の時系列順が識別可能な時系列符号を設定する制御手段とを備えることを特徴とする。
【０００６】
請求項１に係るプリントシステムによれば、プリントされた画像にフォルダ識別子（例えば、フォルダ名やフォルダごとに設定されたタイトル等）及び時系列符号が印字されているため、プリントされた画像が撮影された時系列順に整理することが容易になる。
【０００７】
請求項２に係るプリントシステムは、画像をフォルダごとに記憶する画像記憶手段と、前記画像の中からプリントするプリント画像を選択するプリント画像選択手段と、前記プリント画像のプリント指示を行うプリント指示手段と、前記プリント指示が行われたときに、前記プリント画像のフォルダ内における時系列順を示す時系列符号を設定する時系列符号設定手段と、前記プリント画像が格納されたフォルダごとに、前記時系列符号のプリント時に加える文字装飾を設定する文字装飾設定手段と、前記プリント指示に応じて、前記プリント画像をプリントするとともに、前記時系列符号に前記設定された文字装飾を施してプリント又はプリント注文するプリント手段と、前記プリント指示が行われたときに、前記時系列符号及び前記時系列符号を印字する際に施した文字装飾を記録するための印刷履歴ファイルを、前記画像が格納されたフォルダごとに生成、格納する印刷履歴ファイル生成手段と、前記プリント指示が行われたときに、前記プリント画像が格納されたフォルダ内に前記印刷履歴ファイルが保存されている場合に、前記時系列符号設定手段を制御して、前記印刷履歴ファイルに記録された時系列符号との間で相互の時系列順が識別可能な時系列符号を設定し、前記文字装飾設定手段を制御して、前記印刷履歴ファイルに記録された文字装飾を前記時系列符号に施すように設定する制御手段とを備えることを特徴とする。
【０００８】
請求項２に係るプリントシステムによれば、時系列符号をフォルダごとに異なる色で印字することにより、プリントされた画像をフォルダごとに、時系列順に整理することが容易になる。
【０００９】
請求項３に係るプリントシステムは、請求項２において、前記文字装飾設定手段は、前記時系列符号の印字色、フォント、フォントサイズ、枠組み、枠の色、枠の形状、網がけ、下線のうち少なくとも１つを設定することを特徴とする。請求項３は、請求項２の文字装飾の種類を限定したものである。
【００１０】
請求項４に係るプリント方法は、画像をフォルダごとに記憶する画像記憶工程と、前記画像の中からプリントするプリント画像を選択するプリント画像選択工程と、前記プリント画像のプリント指示を行うプリント指示工程と、前記プリント指示が行われたときに、前記プリント画像が格納されたフォルダごとに、前記プリント画像とともに保存するためのフォルダ識別子を設定するフォルダ識別子設定工程と、前記プリント指示が行われたときに、前記プリント画像のフォルダ内における時系列順を示す時系列符号を設定する時系列符号設定工程と、前記プリント指示に応じて、前記プリント画像、前記フォルダ識別子及び時系列符号をプリント又はプリント注文するプリント工程と、前記プリント指示が行われたときに、前記フォルダ識別子及び時系列符号を記録するための印刷履歴ファイルを、前記画像が格納されたフォルダごとに生成、格納する印刷履歴ファイル生成工程と、前記プリント指示が行われたときに、前記プリント画像が格納されたフォルダ内に前記印刷履歴ファイルが保存されている場合に、前記印刷履歴ファイルに記録されたフォルダ識別子を前記プリント画像とともに印字するためのフォルダ識別子に設定するとともに、前記印刷履歴ファイルに記録された時系列符号との間で相互の時系列順が識別可能な時系列符号を設定する工程とを備えることを特徴とする。
【００１１】
請求項５に係るプリント方法は、画像をフォルダごとに記憶する画像記憶工程と、前記画像の中からプリントするプリント画像を選択するプリント画像選択工程と、前記プリント画像のプリント指示を行うプリント指示工程と、前記プリント指示が行われたときに、前記プリント画像のフォルダ内における時系列順を示す時系列符号を設定する時系列符号設定工程と、前記プリント画像が格納されたフォルダごとに、前記時系列符号のプリント時に加える文字装飾を設定する文字装飾設定工程と、前記プリント指示に応じて、前記プリント画像をプリントするとともに、前記時系列符号に前記設定された文字装飾を施してプリント又はプリント注文するプリント工程と、前記プリント指示が行われたときに、前記時系列符号及び前記時系列符号を印字する際に施した文字装飾を記録するための印刷履歴ファイルを、前記画像が格納されたフォルダごとに生成、格納する印刷履歴ファイル生成工程と、前記プリント指示が行われたときに、前記プリント画像が格納されたフォルダ内に前記印刷履歴ファイルが保存されている場合に、前記印刷履歴ファイルに記録された時系列符号との間で相互の時系列順が識別可能な時系列符号を設定し、前記印刷履歴ファイルに記録された文字装飾を前記時系列符号に施すように設定する工程とを備えることを特徴とする。
【００１２】
請求項６に係るプリント制御プログラムは、画像をフォルダごとに記憶する画像記憶機能と、前記画像の中からプリントするプリント画像を選択するプリント画像選択機能と、前記プリント画像のプリント指示を行うプリント指示機能と、前記プリント指示が行われたときに、前記プリント画像が格納されたフォルダごとに、前記プリント画像とともに保存するためのフォルダ識別子を設定するフォルダ識別子設定機能と、前記プリント指示が行われたときに、前記プリント画像のフォルダ内における時系列順を示す時系列符号を設定する時系列符号設定機能と、前記プリント指示に応じて、前記プリント画像、前記フォルダ識別子及び時系列符号をプリント又はプリント注文するプリント機能と、前記プリント指示が行われたときに、前記フォルダ識別子及び時系列符号を記録するための印刷履歴ファイルを、前記画像が格納されたフォルダごとに生成、格納する印刷履歴ファイル生成機能と、前記プリント指示が行われたときに、前記プリント画像が格納されたフォルダ内に前記印刷履歴ファイルが保存されている場合に、前記印刷履歴ファイルに記録されたフォルダ識別子を前記プリント画像とともに印字するためのフォルダ識別子に設定するとともに、前記印刷履歴ファイルに記録された時系列符号との間で相互の時系列順が識別可能な時系列符号を設定する機能とをコンピュータに実現させることを特徴とする。
【００１３】
請求項７に係るプリント制御プログラムは、画像をフォルダごとに記憶する画像記憶機能と、前記画像の中からプリントするプリント画像を選択するプリント画像選択機能と、前記プリント画像のプリント指示を行うプリント指示機能と、前記プリント指示が行われたときに、前記プリント画像のフォルダ内における時系列順を示す時系列符号を設定する時系列符号設定機能と、前記プリント画像が格納されたフォルダごとに、前記時系列符号のプリント時に加える文字装飾を設定する文字装飾設定機能と、前記プリント指示に応じて、前記プリント画像をプリントするとともに、前記時系列符号に前記設定された文字装飾を施してプリント又はプリント注文するプリント機能と、前記プリント指示が行われたときに、前記時系列符号及び前記時系列符号を印字する際に施した文字装飾を記録するための印刷履歴ファイルを、前記画像が格納されたフォルダごとに生成、格納する印刷履歴ファイル生成機能と、前記プリント指示が行われたときに、前記プリント画像が格納されたフォルダ内に前記印刷履歴ファイルが保存されている場合に、前記印刷履歴ファイルに記録された時系列符号との間で相互の時系列順が識別可能な時系列符号を設定し、前記印刷履歴ファイルに記録された文字装飾を前記時系列符号に施すように設定する機能とをコンピュータに実現させることを特徴とする。
【００１４】
請求項６及び７に係るプリント制御プログラムを含むソフトウェアやファームウェアをパーソナルコンピュータ（ＰＣ）やプリンタのほか、ビデオ再生装置（ビデオデッキ、テレビ）やデジタルカメラ、携帯情報端末（ＰＤＡ）、携帯フォトプレーヤー、携帯電話等のプリンタやネットワークと接続することにより直接プリント出力が可能な装置に適用することにより、本発明のプリントシステム及びプリント方法を実現することができる。
【発明の効果】
【００１５】
本発明によれば、フォルダ内の時系列順を示す時系列符号をフォルダごとに識別可能に印字することにより、プリントされた画像をフォルダごとに、時系列順に整理することが容易になる。
【発明を実施するための最良の形態】
【００１６】
以下、添付図面に従って本発明に係るプリントシステム、プリント方法及びプリント制御プログラムの好ましい実施の形態について説明する。
【００１７】
図１は、本発明の一実施形態に係るプリントシステムを示すブロック図である。本実施形態に係るプリントシステム１０は、例えば、パーソナルコンピュータ（ＰＣ）等から構成されており、画像の管理やプリント等を行うための装置である。図１に示すように、中央処理装置（ＣＰＵ）１２は、バス１４を介してプリントシステム１０内の各ブロックに接続されており、各ブロックの動作を制御する。主メモリ１６は、制御プログラムが格納される記憶領域や、プログラム実行時の作業領域を含んでいる。ハードディスク装置１８には、プリントシステム１０のオペレーティングシステム（ＯＳ）や、本発明に係るプリント制御プログラム、各種のアプリケーションソフト、画像等が格納される。ＣＤ−ＲＯＭ装置２０は、図示せぬＣＤ−ＲＯＭからのデータの読み込みを行う。本発明に係るプリント制御プログラムは、当該プリント制御プログラムが記録されたＣＤ−ＲＯＭをＣＤ−ＲＯＭ装置２０にセットすることによりプリントシステム１０にインストールすることができる。カードインターフェース部（カードＩ／Ｆ）２２は、メモリカード２４から画像データを読み取る。表示メモリ２６は、表示用データを一時記憶する。モニタ装置２８は、例えば、ＣＲＴ（Cathode Ray Tube）モニタや液晶モニタであり、この表示メモリ２６から出力される画像データ、文字データ等に基づいて画像や文字等を表示する。キーボード３０及びマウス３２は、操作者からの操作入力を受け付けて、操作入力に応じた信号をＣＰＵ１２に入力する。マウスコントローラ３４は、マウス３２の状態を検出してモニタ装置２８上のマウスポインタの位置や、マウス３２の状態等の信号をＣＰＵ１２に出力する。通信インターフェース部（通信Ｉ／Ｆ）３６は、ネットワークとの通信を行う。外部機器接続インターフェース部（外部機器接続Ｉ／Ｆ）３８は、撮像装置（電子カメラ、デジタルカメラ）４０やプリンタ４２と通信を行う。
【００１８】
なお、図１に示したプリントシステム１０では、ポインティングデバイスとしてマウス３２のほか、タッチパネルやタッチパッド等を用いることができる。
【００１９】
図２は、画像を格納するフォルダの構成を模式的に示す図である。図２に示すように、プリントシステム１０において、ハードディスク装置１８には、画像を格納するためのフォルダが生成される。フォルダ内に格納された画像が過去にプリントされる場合に、印刷履歴ファイル（print.txt）が生成され、当該フォルダ内に画像とともに格納される。
【００２０】
図３は、本発明の第１の実施形態に係るプリント制御プログラムによりＣＰＵ１２に実現される機能を模式的に示す機能ブロック図である。図３に示すように、本実施形態に係るプリントシステム１０は、プリント画像選択部４４、印字フォルダ名設定部４６、時間情報取得部４８、時系列符号設定部５０、プリント指示部５２及び印刷履歴ファイル生成部５４を備える。
【００２１】
プリント画像選択部４４は、キーボード３０やマウス３２等からの操作入力を受け付けて、ハードディスク装置１８に記憶された画像の中からプリントするプリント画像を選択する。
【００２２】
印字フォルダ名設定部４６は、プリント画像選択部４４によって選択されたプリント画像が格納されているフォルダ名をプリント画像とともに印刷する印字フォルダ名に設定する。また、印字フォルダ名設定部４６は、キーボード３０等からの操作入力を受け付けて印字フォルダ名を変更する。
【００２３】
時間情報取得部４８は、プリント画像が撮影又は更新された時間情報を取得する。時系列符号設定部５０は、時間情報取得部４８が取得した時間情報に応じて、時系列を示す時系列符号を各プリント画像に割り当てる。
【００２４】
プリント指示部５２は、キーボード３０やマウス３２等からの操作入力により、プリント画像とともにプリント画像に設定された印字フォルダ名及び時系列符号をプリントするための指令をプリンタ４０に出力する。なお、印字フォルダ名や時系列符号は、プリントの表裏いずれであってもよい。
【００２５】
印刷履歴ファイル生成部５４は、上記設定された印字フォルダ名、及び時系列符号とプリント画像との対応を格納する印刷履歴ファイル（print.txt）を生成し、上記プリント画像が格納されているのと同じフォルダに格納する。
【００２６】
図４は、印刷履歴ファイルを示す図である。図４に示すように、印刷履歴ファイル（print.txt）には、プリント画像とともに印字された印字フォルダ名及びプリント画像の時系列順を示す時系列符号が格納されている。
【００２７】
フォルダ内に既に印刷履歴ファイルが存在している場合には、印刷履歴ファイル生成部５４は、印刷履歴ファイル（print.txt）を更新する。例えば、旅行の同行者等からもらった画像をフォルダに追加してプリントした場合、時間情報取得部４８は、プリント画像選択部４４によって選択されたプリント画像が撮影又は更新された時間情報を取得する。時系列符号設定部５０は、印刷履歴ファイル（print.txt）を参照して、過去にプリントされた画像（プリント済み画像）に割り当てられた時系列符号を取得する。そして、時系列符号設定部５０は、過去にプリントされた画像に割り当てられた時系列符号との間で時系列順が識別可能な符号をプリント画像に割り当てる。
【００２８】
例えば、図４に示すように、印刷履歴ファイルに記録された（すなわち、プリント済み画像に付与された）時系列符号が、プリント済み画像の古い順に１、２、３、４…と割り当てられているとする。今回のプリント画像の時系列順が番号「１」のプリント済み画像より新しく、番号「２」のプリント済み画像より古い場合には、例えば、このプリント画像には、枝番を付した時系列符号「１−２」が割り当てられる。これにより、プリント済み画像及びプリント画像の時系列順が番号「１」と「２」の間であることが識別可能になる。また、印刷履歴ファイル生成部５４は、図５に示すように印刷履歴ファイルを更新する。
【００２９】
なお、時系列符号「１」のプリント済み画像より新しく、番号「１−２」のプリント済み画像より古いプリント画像がプリントされる場合には、例えば、時系列符号「１−１−２」を割り当てるようにする。さらに、時系列符号「１」と「１−１−２」の間のプリント画像がプリントされる場合には、例えば、時系列符号「１−１−１−２」を割り当てるようにする。これにより、プリントされた画像から画像の撮影時刻の時系列順を識別することができる。
【００３０】
なお、時系列符号の枝番の記号は、プリント画像が追加されるごとに、例えば、「１＝１−２」、「１  １−２」又は「１＋１−２」のように変えてもよい。また、時系列符号は連番でなくてもよく、番号を１、１０、２０…のように割り当ててもよい。
【００３１】
なお、時系列符号の付与の仕方は、上記に限定されるものではなく、例えば、「ア、イ、ウ…」、「い、ろ、は…」、「Ａ，Ｂ，Ｃ…」、「ａ，ｂ，ｃ…」等の符号やこれらの組み合わせを用いてもよい。この場合、例えば、時系列符号「１」と「２」の間のプリント画像に時系列符号「１Ａ」を、時系列符号「１」と「１Ａ」の間のプリント画像に時系列符号「１Ａａ」を割り当てるようにすればよい。
【００３２】
次に、本実施形態に係るプリントシステム１０における処理の流れについて、図６のフローチャートを参照して説明する。まず、キーボード３０やマウス３２等からの操作入力に基づいてフォルダを選択する（ステップＳ１０）。そして、キーボード３０やマウス３２等からの操作入力に基づいて、プリントするプリント画像を選択して、プリント実行指示の入力を受け付ける（ステップＳ１２）。なお、ステップＳ１２において、フォルダ内の全ての画像がプリント画像として選択された場合には、全ての画像に時系列符号が割り当てられて、フォルダ名とともに印字され、印刷履歴ファイル生成部５４によって印刷履歴ファイルが生成されて終了する。
【００３３】
次に、フォルダ内の画像の一部がプリント画像として選択された場合において、ステップＳ１０において選択したフォルダに印刷履歴ファイルがない場合には（ステップＳ１６のいいえ）、プリント画像がプリントされるとともに、フォルダ名及びフォルダ内の画像の時系列がプリント用紙に印字される（ステップＳ１８）。なお、ステップＳ１８では、プリントするフォルダ名は、プリント画像のタイトルとしても使用でき、例えば、図２及び図４等に示すように、実際のフォルダ名とは別に任意に設定することができる。
【００３４】
ステップＳ１０において選択したフォルダに印刷履歴ファイルがある場合には（ステップＳ１６のはい）、印字フォルダ名設定部４６によって印刷履歴ファイルが参照される。そして、印刷履歴ファイルに記録されている履歴フォルダ名（すなわち、前回のプリント時に印字されたフォルダ名）が、ステップＳ１０において選択したフォルダのフォルダ名と同じ場合には（ステップＳ２０のはい）、ステップＳ１２において選択されたプリント画像に１枚ずつフォルダ内の時系列を示す時系列符号が割り当てられてプリントされる（ステップＳ２４以降）。一方、履歴フォルダ名が、ステップＳ１０において選択したフォルダのフォルダ名と異なる場合には（ステップＳ２０のいいえ）、印字フォルダ名を履歴フォルダ名に設定して（ステップＳ２２）、ステップＳ１２において選択されたプリント画像に１枚ずつ時系列符号が割り当てられてプリントされる（ステップＳ２４以降）。
【００３５】
以下、プリント画像に１枚ずつ時系列符号を割り当てる処理について説明する（ステップＳ２４以降）。プリント画像が印刷履歴ファイルに記録されている場合、すなわち、プリント済み画像の場合には（ステップＳ２４のはい）、時系列符号設定部５０は、印刷履歴ファイル中の時系列符号を印字するように設定して（ステップＳ２６）、ステップＳ２４の処理に戻る。一方、プリント画像が印刷履歴ファイルに記録されていない場合、すなわち、プリント済みではない場合には（ステップＳ２４のいいえ）、時系列符号設定部５０は、印刷履歴ファイルに記録されているプリント済み画像の時系列符号との時系列順が識別可能になるように時系列符号を設定して（ステップＳ２８）、ステップＳ２４の処理に戻る。
【００３６】
そして、ステップＳ２４からＳ３０の処理を繰り返して、ステップＳ１２において選択したプリント画像の全てに時系列符号を割り当てると（ステップＳ３０のいいえ）、プリント指示部５２は、プリント画像をプリントするとともに、上記ステップＳ２２において設定した印字フォルダ名、及び、ステップＳ２６又はＳ２８において設定した時系列符号を印字するための指令をプリンタ４０に出力する（ステップＳ３２）。また、印刷履歴ファイル生成部５４により、印刷履歴ファイルが生成又は更新される。これにより、図７に示すように、プリント画像が印字フォルダ名及び時系列符号とともにプリントされる。なお、印字フォルダ名及び時系列符号は、プリント用紙の裏面に印字されるようにしてもよい。
【００３７】
本実施形態によれば、プリントされた画像に印字フォルダ名及び時系列符号が印字されているため、プリントされた画像が撮影された時系列順に整理することが容易になる。また、ステップＳ２０及びＳ２２において、印刷履歴ファイルに記録された履歴フォルダ名を印字フォルダ名に設定することにより、例えば、前回のプリント以降にフォルダ名が変更された場合であっても、プリントされた画像を印字フォルダごと、時系列順に整理することが容易になる。
【００３８】
次に、本発明の第２の実施形態について、図８以降を参照して説明する。図８は、本発明の第２の実施形態に係るプリント制御プログラムによりＣＰＵ１２に実現される機能を模式的に示す機能ブロック図である。なお、以下の説明では、上記図３と同様の構成については、同一の符号を付して説明を省略する。
【００３９】
図８に示すように、本実施形態に係るプリントシステム１０は、印字色設定部５６を更に備える。印字色設定部５６は、プリント画像とともに印字される時系列符号の印字色を設定する。
【００４０】
図９は、印刷履歴ファイルを示す図である。図９に示すように、印刷履歴ファイル（print.txt）には、プリント画像とともにプリントされたプリント画像の時系列順を示す時系列符号とともに印字色の情報が格納されている。なお、図９に示すように、印刷履歴ファイル（print.txt）では、印字色がＲ，Ｇ，Ｂで「Ｒ＝２５５，Ｇ＝０，Ｂ＝２００」のように記載されている。なお、この印字色は、本実施形態のプリントシステム１０のフォルダごとに異なる色が設定される。
【００４１】
次に、本実施形態のプリントシステム１０における処理の流れについて、図１０のフローチャートを参照して説明する。まず、キーボード３０やマウス３２等からの操作入力に基づいてフォルダを選択する（ステップＳ５０）。そして、キーボード３０やマウス３２等からの操作入力に基づいて、プリントするプリント画像を選択して、プリント実行指示の入力を受け付ける（ステップＳ５２）。なお、ステップＳ５２において、フォルダ内の全ての画像がプリント画像として選択された場合には、全ての画像に時系列符号が割り当てられて、印字色設定部５６によって印字色が設定されて、印刷履歴ファイル生成部５４によって印刷履歴ファイルが生成されて終了する。
【００４２】
次に、フォルダ内の画像の一部がプリント画像として選択された場合において、ステップＳ５０において選択したフォルダに印刷履歴ファイルがない場合には（ステップＳ５６のいいえ）、プリント画像がプリントされるとともに、フォルダ名及びフォルダ内の画像の時系列がプリント用紙に印字される（ステップＳ５８）。
【００４３】
ステップＳ５０において選択したフォルダに印刷履歴ファイルがある場合には（ステップＳ５６のはい）、印字フォルダ名設定部４６によって印刷履歴ファイルが参照されて、ステップＳ５２において選択されたプリント画像に１枚ずつ時系列符号が割り当てられてプリントされる（ステップＳ６０以降）。
【００４４】
以下、プリント画像に１枚ずつ時系列符号を割り当てる処理について説明する（ステップＳ６０以降）。プリント画像が印刷履歴ファイルに記録されている場合、すなわち、プリント済み画像の場合には（ステップＳ６０のはい）、時系列符号設定部５０は、印刷履歴ファイル中の時系列符号を印字するように設定して（ステップＳ６２）、ステップＳ６０の処理に戻る。一方、プリント画像が印刷履歴ファイルに記録されていない場合、すなわち、プリント済みではない場合には（ステップＳ６０のいいえ）、時系列符号設定部５０は、印刷履歴ファイルに記録されているプリント済み画像の時系列符号との時系列順が識別可能になるように時系列符号を設定して（ステップＳ６４）、ステップＳ６０の処理に戻る。
【００４５】
そして、ステップＳ６０からＳ６４の処理を繰り返して、ステップＳ５２において選択したプリント画像の全てに時系列符号を割り当てると（ステップＳ６６のいいえ）、プリント指示部５２は、プリント画像をプリントするとともに、上記印刷履歴ファイルによって設定された印字色で、ステップＳ６２又はＳ６４において設定した時系列符号を印字するための指令をプリンタ４０に出力する（ステップＳ６８）。これにより、図１１に示すように、フォルダごとに異なる印字色で時系列符号が印字される。
【００４６】
本実施形態によれば、プリントされた画像に印字フォルダ名及び時系列符号が印字されているため、プリントされた画像が撮影された時系列順に整理することが容易になる。また、時系列符号をフォルダごとに異なる色で印字することにより、プリントされた画像をフォルダごとに、時系列順に整理することが容易になる。
【００４７】
なお、上記第２の実施形態では、時系列符号の印字色を変更するようにしたが、例えば、時系列符号のフォント、フォントサイズ、枠組み、枠の色、枠の形状、網がけ、下線等の文字装飾により、プリント画像をフォルダごとに識別するようにしてもよい。
【００４８】
なお、上記の各実施形態では、本発明のプリントシステムがパーソナルコンピュータ及びパーソナルコンピュータに接続されたプリンタを含む構成となっているが、例えば、ＰＣやデジタルカメラ等からネットワークを介して接続されたプリント注文受付サーバにプリント注文を行えるようにしてもよいし、店頭等においてプリントを行うシステムや店頭セルフ端末にも本発明のプリントシステムを適用することができる。
【図面の簡単な説明】
【００４９】
【図１】本発明の一実施形態に係るプリントシステムを示すブロック図
【図２】画像を格納するフォルダの構成を模式的に示す図
【図３】第１の実施形態に係るプリント制御プログラムによりＣＰＵ１２に実現される機能を模式的に示す機能ブロック図
【図４】印刷履歴ファイルを示す図
【図５】更新された印刷履歴ファイルを示す図
【図６】第１の実施形態に係るプリントシステム１０における処理の流れを示すフローチャート
【図７】プリントされた画像の例を示す図
【図８】第２の実施形態に係るプリント制御プログラムによりＣＰＵ１２に実現される機能を模式的に示す機能ブロック図
【図９】印刷履歴ファイルを示す図
【図１０】第２の実施形態に係るプリントシステム１０における処理の流れを示すフローチャート
【図１１】プリントされた画像の例を示す図
【符号の説明】
【００５０】
１０…プリントシステム、１２…ＣＰＵ、１４…バス、１６…主メモリ、１８…ハードディスク装置、２０…ＣＤ−ＲＯＭ装置、２２…カードＩ／Ｆ、２４…メモリカード、２６…表示メモリ、２８…モニタ装置、３０…キーボード、３２…マウス、３４…マウスコントローラ、３６…通信Ｉ／Ｆ、３８…外部機器接続Ｉ／Ｆ、４０…撮像装置、４２…プリンタ、４４…プリント画像選択部、４６…印字フォルダ名設定部、４８…時間情報取得部、５０…時系列符号設定部、５２…プリント指示部、５４…印刷履歴ファイル生成部、５６…印字色設定部
【図１】
2007172072.tif 000003
【図２】
2007172072.tif 000004
【図３】
2007172072.tif 000005
【図４】
2007172072.tif 000006
【図５】
2007172072.tif 000007
【図６】
2007172072.tif 000008
【図７】
2007172072.tif 000009
【図８】
2007172072.tif 000010
【図９】
2007172072.tif 000011
【図１０】
2007172072.tif 000012
【図１１】
2007172072.tif 000013